(57)【特許請求の範囲】
【請求項１】
ショートブログサービス内で投稿されたショートブログに含まれる急上昇ワード同士を関連付ける急上昇ワード関連付け装置であって、
投稿されたショートブログを記憶したショートブログデータベースを参照して、当該ショートブログに含まれる単語の出現頻度の変化に基づいてショートブログサービス内における急上昇ワードを抽出する急上昇ワード抽出手段と、
抽出した前記急上昇ワードに基づいて前記ショートブログデータベースを参照して、前記急上昇ワード及びＵＲＬを含む前記ショートブログを検索するショートブログ検索手段と、
検索した前記ショートブログのうち、同一の前記ＵＲＬを含む複数のショートブログに含まれる前記急上昇ワード同士を関連付けて関連付けデータベースに記憶する急上昇ワード関連付け手段と、
を備える急上昇ワード関連付け装置。
【請求項２】
ユーザ端末から前記急上昇ワードを指定したショートブログの検索要求を受け付ける検索要求受付手段と、
受け付けた前記急上昇ワードに基づいて前記関連付けデータベースを参照して、受け付けた前記急上昇ワードに関連する他の急上昇ワードを抽出して前記ユーザ端末に提案するために送信するサジェスト手段と、
を備える請求項１に記載の急上昇ワード関連付け装置。
【請求項３】
前記ショートブログ検索手段が検索した前記ショートブログに含まれる前記ＵＲＬのそれぞれにより特定されるＷｅｂページ同士の類似度を判定するページ類似度判定手段、を備え、
前記急上昇ワード関連付け手段は、所定の類似度以上の前記Ｗｅｂページを特定する前記ＵＲＬをそれぞれ含むショートブログに含まれる前記急上昇ワード同士を関連付けて前記関連付けデータベースに記憶する、
請求項１又は２に記載の急上昇ワード関連付け装置。
【請求項４】
前記ショートブログ検索手段は、前記急上昇ワード及び前記ＵＲＬを含む前記ショートブログの検索時において、前記急上昇ワードに基づく検索スコアを算出し、
前記急上昇ワード関連付け手段は、所定の検索スコア以上の前記ショートブログに含まれる前記ＵＲＬをそれぞれ含むショートブログに含まれる前記急上昇ワード同士を関連付けて前記関連付けデータベースに記憶する、
請求項１から３のいずれかに記載の急上昇ワード関連付け装置。
【請求項５】
コンピュータが実行する、ショートブログサービス内で投稿されたショートブログに含まれる急上昇ワード同士を関連付ける方法であって、
投稿されたショートブログを記憶したショートブログデータベースを参照して、当該ショートブログに含まれる単語の出現頻度の変化に基づいてショートブログサービス内における急上昇ワードを抽出するステップと、
抽出した前記急上昇ワードに基づいて前記ショートブログデータベースを参照して、前記急上昇ワード及びＵＲＬを含む前記ショートブログを検索するステップと、
検索した前記ショートブログのうち、同一の前記ＵＲＬを含む複数のショートブログに含まれる前記急上昇ワード同士を関連付けて関連付けデータベースに記憶するステップと、
を含む方法。
【発明の詳細な説明】
【技術分野】
【０００１】
本発明は、ショートブログサービス内で投稿されたショートブログに含まれる急上昇ワード同士を関連付ける急上昇ワード関連付け装置及び方法に関する。
【背景技術】
【０００２】
近年、ユーザから現在の状況や雑記などを記載した短い文章の投稿を受け付け他のユーザに閲覧・返信させることで、ユーザ間でコミュニケーションを図るＴＷＩＴＴＥＲ（登録商標）などを代表とするショートブログサービスが頻繁に利用されている。
【０００３】
例えば、ＴＷＩＴＴＥＲは、ユーザがつぶやいた独り言の文字列（ショートブログ）を通信ネットワークを介して受信して公衆に閲覧可能にするものであるが、所定のユーザのショートブログを更新のつど閲覧したり（フォロー）、あるユーザのショートブログに対して他のユーザがそれを引用して自らのショートブログとしたり（リツイート）、所定のユーザのショートブログに自らのコメントを追加して投稿したり（クオートツイート）することもできる（非特許文献１）。
このように、ＴＷＩＴＴＥＲを代表とするショートブログでは、様々な形態での応答が発展することにより、あたかも大勢で会話しているかのような感覚を与えることができる。
【先行技術文献】
【非特許文献】
【０００４】
【非特許文献１】ツイッター完全活用術、日本、アスキー・メディアワークス、２０１０年２月２６日、８〜９頁
【発明の概要】
【発明が解決しようとする課題】
【０００５】
ここで、ショートブログを代表とするネットワーク上のコミュニケーションでは、バズワード（流行語）といわれる一時的に多くのユーザに用いられる急上昇ワードが発生する。このような急上昇ワードは、日常生活で生じた出来事に対して一時的に使用頻度が上昇した結果として発生することがあり、例えば、企業が新製品を発表し、この企業や新製品に対する多数のショートブログが投稿された場合には、企業名や新製品名などが急上昇ワードとなることがある。
ネットワーク上の急上昇ワードを含むショートブログは、多くのユーザが注目し閲覧を望むものであるため、多数のショートブログの中からこのような急上昇ワードを含むショートブログを適切に取り出すことのできる方法が求められる。
【０００６】
ところで、ショートブログサービス上で投稿されるショートブログには文字数制限があるため、同一の出来事に対して投稿したショートブログであっても、投稿したユーザによって用いる単語が異なる場合がある。例えば、あるユーザは「○○社が新製品を発表しました」といった企業名を明記し新製品名を明記しないショートブログを投稿する一方で、他のユーザは「新製品××が発表されました」といった企業名を明記せず新製品名を明記するショートブログを投稿する場合がある。
【０００７】
このとき、「○○社」と「新製品××」とは、本来密接に関連する単語同士であるため、多数のショートブログの中から急上昇ワードを含むショートブログを取り出す際には、このような急上昇ワード同士の関連性を考慮した上でショートブログを取り出すことが求められる。
【０００８】
本発明はこのような要望に鑑みてなされたものであり、文字数制限のあるショートブログに含まれる急上昇ワード同士の関連性を適切に把握することを目的とする。
【課題を解決するための手段】
【０００９】
本発明者は、急上昇ワードを含むショートブログが引用するＷｅｂページ（ＵＲＬ）に基づいて急上昇ワード同士を結びつけることで、本発明を完成するに至った。
【００１０】
（１）  ショートブログサービス内で投稿されたショートブログに含まれる急上昇ワード同士を関連付ける急上昇ワード関連付け装置であって、投稿されたショートブログを記憶したショートブログデータベースを参照して、当該ショートブログに含まれる単語の出現頻度の変化に基づいてショートブログサービス内における急上昇ワードを抽出する急上昇ワード抽出手段と、抽出した前記急上昇ワードに基づいて前記ショートブログデータベースを参照して、前記急上昇ワード及びＵＲＬを含む前記ショートブログを検索するショートブログ検索手段と、検索した前記ショートブログのうち、同一の前記ＵＲＬを含む複数のショートブログに含まれる前記急上昇ワード同士を関連付けて関連付けデータベースに記憶する急上昇ワード関連付け手段と、を備える急上昇ワード関連付け装置。
【００１１】
（１）の急上昇ワード関連付け装置によれば、急上昇ワード関連付け手段は、同一のＵＲＬを含む複数のショートブログに含まれる急上昇ワード同士を関連付ける。
ここで、同一のＵＲＬ（Ｗｅｂページ）を含む複数のショートブログは、それぞれ同一の出来事に対して投稿されているものであるため、このような複数のショートブログのそれぞれで使用されている急上昇ワード同士は各々関連するものと捉えることができる。そのため、本発明によれば、ユーザによって用いる急上昇ワードが異なる場合であっても、それぞれの急上昇ワードを適切に関連付けることができる。
【００１２】
（２）  ユーザ端末から前記急上昇ワードを指定したショートブログの検索要求を受け付ける検索要求受付手段と、受け付けた前記急上昇ワードに基づいて前記関連付けデータベースを参照して、受け付けた前記急上昇ワードに関連する他の急上昇ワードを抽出して前記ユーザ端末に提案するために送信するサジェスト手段と、を備える（１）に記載の急上昇ワード関連付け装置。
【００１３】
（２）の急上昇ワード関連付け装置によれば、ユーザ端末から受け付けた急上昇ワードと関連する急上昇ワード、すなわち、同じ出来事に対して用いる急上昇ワードをユーザ端末に提案する。これにより、ユーザは、多くのユーザにより注目されている出来事に対して投稿されたショートブログを漏れなく取得することができる。
【００１４】
（３）  前記ショートブログ検索手段が検索した前記ショートブログに含まれる前記ＵＲＬのそれぞれにより特定されるＷｅｂページ同士の類似度を判定するページ類似度判定手段、を備え、前記急上昇ワード関連付け手段は、所定の類似度以上の前記Ｗｅｂページを特定する前記ＵＲＬをそれぞれ含むショートブログに含まれる前記急上昇ワード同士を関連付けて前記関連付けデータベースに記憶する、（１）又は（２）に記載の急上昇ワード関連付け装置。
【００１５】
ネットワーク上には無数のＷｅｂページが存在するため、同一の出来事を記載する複数のＷｅｂページが存在する場合がある。すなわち、ある出来事に対する新聞社Ａの記事からなるＷｅｂページの他に、同一の出来事に対する新聞社Ｂの記事からなるＷｅｂページが存在する場合がある。このようなＷｅｂページは、それぞれＵＲＬが異なるものであるが同一の出来事に対するものであるため、急上昇ワードの関連付けの際に考慮することが好ましい。
（３）の急上昇ワード関連付け装置によれば、同一のＵＲＬだけでなく、Ｗｅｂページの内容が類似するＵＲＬも用いて、急上昇ワード同士を結びつけるため、関連付けの範囲（カバレッジ）を適切に管理することができ、急上昇ワードの関連付けを適切に行うことができる。
【００１６】
（４）  前記ショートブログ検索手段は、前記急上昇ワード及び前記ＵＲＬを含む前記ショートブログの検索時において、前記急上昇ワードに基づく検索スコアを算出し、前記急上昇ワード関連付け手段は、所定の検索スコア以上の前記ショートブログに含まれる前記ＵＲＬをそれぞれ含むショートブログに含まれる前記急上昇ワード同士を関連付けて前記関連付けデータベースに記憶する、（１）から（３）のいずれかに記載の急上昇ワード関連付け装置。
【００１７】
（４）の急上昇ワード関連付け装置によれば、急上昇ワードに基づく検索の検索スコアが高いショートブログが引用する複数のＵＲＬ（Ｗｅｂページ）同士をそれぞれ関連するものと捉え、当該ＵＲＬを含むショートブログに含まれる急上昇ワード同士を関連付ける。これにより、関連付けの範囲（カバレッジ）を更に広げることができ、急上昇ワードの関連付けを適切に行うことができる。
【００１８】
（５）  コンピュータが実行する、ショートブログサービス内で投稿されたショートブログに含まれる急上昇ワード同士を関連付ける方法であって、投稿されたショートブログを記憶したショートブログデータベースを参照して、当該ショートブログに含まれる単語の出現頻度の変化に基づいてショートブログサービス内における急上昇ワードを抽出するステップと、抽出した前記急上昇ワードに基づいて前記ショートブログデータベースを参照して、前記急上昇ワード及びＵＲＬを含む前記ショートブログを検索するステップと、検索した前記ショートブログのうち、同一の前記ＵＲＬを含む複数のショートブログに含まれる前記急上昇ワード同士を関連付けて関連付けデータベースに記憶するステップと、を含む方法。
【００１９】
（５）の方法によれば、（１）の急上昇ワード関連付け装置と同様の効果を奏する。
【発明の効果】
【００２０】
本発明によれば、文字数制限のあるショートブログに含まれる急上昇ワード同士を関連付けることができる。
【図面の簡単な説明】
【００２１】
【図１】第１実施形態の急上昇ワード関連付け装置の機能構成を示す図である。
【図２】ショートブログデータベースを示す図である。
【図３】急上昇ワード抽出手段により抽出された急上昇ワードを示す図である。
【図４】関連付けデータベースを示す図である。
【図５】第１実施形態の急上昇ワード関連付け装置の動作を示す図である。
【図６】第１実施形態の急上昇ワード関連付け装置の動作を示す図である。
【図７】第１実施形態の急上昇ワード関連付け装置の処理の流れを示すフローチャートである。
【図８】第１実施形態の急上昇ワード関連付け装置の処理の流れを示すフローチャートである。
【図９】第２実施形態の急上昇ワード関連付け装置の機能構成を示す図である。
【図１０】第２実施形態の急上昇ワード関連付け装置の動作を示す図である。
【図１１】第３実施形態の急上昇ワード関連付け装置の動作を示す図である。
【発明を実施するための形態】
【００２２】
［第１実施形態］
初めに、図１〜図７を参照して、第１実施形態の急上昇ワード関連付け装置１について説明する。
【００２３】
［急上昇ワード関連付け装置１の構成］
図１を参照して、本発明の急上昇ワード関連付け装置１の構成について説明する。
急上昇ワード関連付け装置１は、ショートブログサービス内における急上昇ワードの関連性を把握し、ユーザに対してショートブログを漏れなく検索させるため、関連付け部１０と、サジェスト部２０と、を含んで構成される。
【００２４】
［関連付け部１０］
関連付け部１０は、ショートブログサービス内で使用された急上昇ワード同士を関連付けるために、急上昇ワード抽出手段１１と、ショートブログ検索手段１２と、急上昇ワード関連付け手段１３と、ショートブログデータベース１４と、関連付けデータベース１５と、を含む。
【００２５】
急上昇ワード抽出手段１１は、所定のタイミングでショートブログデータベース１４にアクセスし、ショートブログサービス内で投稿されたショートブログに含まれる単語の出現頻度（出現回数）の変化に基づいて急上昇ワードを抽出する。ここで、「急上昇ワード」とは、ショートブログサービス内で投稿されたショートブログに含まれる単語のうち、出現頻度が急上昇した単語をいう。なお、急上昇とされる上昇率については、任意に設定することができ、一例としては、前日に対して出現頻度が１０倍以上となった場合に急上昇したとすることができる。
また、急上昇ワードの抽出は、これまで知られている周知の方法を用いることができる。一例としては、急上昇ワード抽出手段１１は、ショートブログのテキスト情報を形態素解析し、解析した形態素を所定の辞書に基づき連結することでショートブログから単語を抽出する。そして、急上昇ワード抽出手段１１は、抽出した単語の出現頻度（出現回数）を計数することで、急上昇ワードを抽出することができる。
【００２６】
ここで、ショートブログデータベース１４は、図２に示すように、ショートブログサービス内でユーザにより投稿されたショートブログを記憶する。ショートブログは、文字数制限（例えば、１４０文字以内）のあるテキスト情報を含み、このテキスト情報には、ユーザが作成したコメントに加え、Ｗｅｂページの所在を示すＵＲＬが含まれる場合がある。ショートブログに含まれるＵＲＬは、ユーザが作成したコメントに関連する情報であることが一般的である。例えば、ショートブログＩＤ「２００」のショートブログは、「ＵＲＬ１」のＷｅｂページを引用してユーザが「○○花子が、ショック」というコメントを作成したショートブログである。
【００２７】
本実施形態では、急上昇ワード抽出手段１１は、図２に示すショートブログデータベース１４に記憶されたショートブログから、図３に示す急上昇ワードを抽出している。
なお、急上昇ワード抽出手段１１は、出現頻度の変化だけでなく、出現頻度自体も考慮して急上昇ワードを抽出することとしてもよい。すなわち、単語の出現頻度自体が少ない場合には、出現頻度が急上昇していたとしても急上昇ワードとして抽出しないこととしてもよい。
【００２８】
図１に戻り、ショートブログ検索手段１２は、急上昇ワード抽出手段１１により抽出された急上昇ワードに基づいてショートブログデータベース１４を検索し、当該急上昇ワードを含み、かつ、ＵＲＬを含むショートブログを検索する。
図２及び図３を参照して、急上昇ワードＩＤ「３００」の「○○花子」に基づいてショートブログデータベース１４を検索した場合、ショートブログＩＤ「２００」及び「２０３」のショートブログは、急上昇ワード「○○花子」を含み、かつ、「ＵＲＬ１」を含むため、当該検索にヒットする。一方、ショートブログＩＤ「２０４」のショートブログについては、急上昇ワード「○○花子」を含むが、ＵＲＬを含まないため、当該検索にヒットしない。
【００２９】
急上昇ワード関連付け手段１３は、ショートブログ検索手段１２により検索されたショートブログのうち、同一のＵＲＬを含む複数のショートブログに含まれる急上昇ワード同士を関連付ける。すなわち、急上昇ワード関連付け手段１３は、同一のＷｅｂページ（ＵＲＬ）を引用する複数のショートブログのそれぞれに含まれる急上昇ワード同士を関連付ける。図２を参照して、ショートブログＩＤ「２００」のショートブログとショートブログＩＤ「２０１」のショートブログとは、同一のＷｅｂページ（ＵＲＬ１）を引用している。そのため、急上昇ワード関連付け手段１３は、ショートブログＩＤ「２００」に含まれる急上昇ワード「○○花子」とショートブログＩＤ「２０１」に含まれる急上昇ワード「××投手」とを関連付ける。なお、所定の急上昇ワードを含む複数のショートブログのうち、同一のＷｅｂページ（ＵＲＬ）を引用するショートブログの数が所定数以上となった場合に、当該ショートブログに含まれる当該急上昇ワード同士の関連付けを行うこととしてもよい。
【００３０】
関連付けデータベース１５は、急上昇ワード関連付け手段１３が関連付けた急上昇ワードを記憶する。このとき、関連付けデータベース１５は、図４に示すように、関連付けに用いたＵＲＬ（共起ＵＲＬ）に対応付けて、関連付けられた急上昇ワードを記憶する。図４を参照すると、「ＵＲＬ１」に基づいて「○○花子」「ＡＢＣグループ」「××投手」の急上昇ワードが関連付けられている。
【００３１】
［サジェスト部２０］
サジェスト部２０は、ユーザ端末１００と通信可能に接続され、ユーザ端末１００から受け付けた検索クエリに関連する急上昇ワードを提案するため、検索要求受付手段２１と、サジェスト手段２２と、を含む。
【００３２】
検索要求受付手段２１は、ユーザ端末１００から検索クエリを指定したショートブログの検索要求を受け付ける。
サジェスト手段２２は、検索要求受付手段２１が受け付けた検索クエリが急上昇ワードであるか否かを判定し、急上昇ワードである場合には、関連付けデータベース１５を参照して、当該急上昇ワードに関連する他の急上昇ワードをユーザ端末１００に提案するために、当該他の急上昇ワードを送信する。
【００３３】
［急上昇ワード関連付け装置１の動作］
続いて、図５及び図６を参照して、急上昇ワード関連付け装置１の動作について説明する。
【００３４】
図５（１）を参照して、急上昇ワード抽出手段１１は、ショートブログデータベース１４に記憶されたショートブログから急上昇ワードを抽出する。図５（１）では、急上昇ワードとして「○○花子」「ＡＢＣグループ」「××投手」などの急上昇ワードが抽出されている。
【００３５】
図５（２）を参照して、ショートブログ検索手段１２は、抽出した急上昇ワードに基づいてショートブログデータベース１４を検索し、当該急上昇ワードを含み、かつ、ＵＲＬを含むショートブログを検索する。その結果、図５（２）に示すように、検索に用いた急上昇ワード毎に検索にヒットしたＵＲＬが取得される。
【００３６】
図５（３）を参照して、急上昇ワード関連付け手段１３は、ショートブログ検索手段１２の検索結果に基づいて、同一のＵＲＬを含む複数のショートブログに含まれる急上昇ワード同士を関連付ける。具体的には、急上昇ワード関連付け手段１３は、検索結果として取得されたＵＲＬ毎に検索に用いた急上昇ワードをまとめる（ＵＲＬでソートする）ことで、急上昇ワード同士を関連付ける。その結果、図５（３）に示すように、「○○花子」「ＡＢＣグループ」「××投手」といった急上昇ワードが「ＵＲＬ１」に基づいて関連付けられる。
【００３７】
このように関連付けられた急上昇ワードは、同一のＷｅｂページ（ＵＲＬ）を引用する複数のショートブログに含まれていたものであるため、各々関連する。これにより、同一の出来事（Ｗｅｂページ）に対して投稿されたショートブログにおいて、文字数制限があるためにユーザによって用いる急上昇ワードが異なる場合であっても、それぞれの急上昇ワードを適切に関連付けることができる。
【００３８】
続いて、図６（４）（５）を参照して、検索要求受付手段２１がユーザ端末１００から検索クエリを指定した検索要求を受け付けると、サジェスト手段２２は、当該検索クエリが急上昇ワードであるか判定する。そして、検索クエリが急上昇ワードである場合には、当該急上昇ワードに関連する他の急上昇ワードをユーザ端末１００に対して提案する。図６（４）（５）では、ユーザ端末１００から検索クエリ「○○花子」を受け付けており、この「○○花子」が急上昇ワードであるため、「ＡＢＣグループ」「××投手」といった「○○花子」に関連する他の急上昇ワードが提案されている。
【００３９】
これにより、ユーザ端末１００から急上昇ワードを指定する検索要求を受け付けた場合に、同じ出来事（Ｗｅｂページ）に対して他の急上昇ワードを用いて作成されたショートブログを、ユーザに検索させることができる。その結果、検索を行うユーザは、多くのユーザに注目されている出来事に対して投稿された様々なショートブログを漏れなく取得することができる。
【００４０】
［急上昇ワード関連付け装置１のハードウェア構成］
以上説明した急上昇ワード関連付け装置１のハードウェアは、１又は複数の一般的なコンピュータによって構成することができる。一般的なコンピュータは、例えば、制御部として、中央処理装置（ＣＰＵ）を備える他、記憶部として、メモリ（ＲＡＭ、ＲＯＭ）、ハードディスク（ＨＤＤ）及び光ディスク（ＣＤ、ＤＶＤなど）を、ネットワーク通信装置として、各種有線及び無線ＬＡＮ装置を、表示装置として、例えば、液晶ディスプレイ、プラズマディスプレイなどの各種ディスプレイを、入力装置として、例えば、キーボード及びポインティング・デバイス（マウス、トラッキングボールなど）を適宜備え、これらは、バスラインにより接続されている。このような一般的なコンピュータにおいて、ＣＰＵは、急上昇ワード関連付け装置１を統括的に制御し、各種プログラムを適宜読み出して実行することにより、上述したハードウェアと協働し、本発明に係る各種機能を実現している。
【００４１】
［急上昇ワード関連付け装置１の処理］
続いて、図７及び図８を参照して、本発明の急上昇ワード関連付け装置１の処理について説明する。
【００４２】
［関連付け処理］
初めに、図７を参照して、急上昇ワード同士を関連付ける関連付け処理について説明する。
【００４３】
Ｓ１：急上昇ワード抽出手段１１は、所定のタイミングでショートブログデータベース１４にアクセスし、ショートブログサービス内で投稿されたショートブログに含まれる単語の出現頻度（出現回数）の変化に基づいて急上昇ワードを抽出する。
Ｓ２：続いて、ショートブログ検索手段１２は、Ｓ１で抽出した急上昇ワードに基づいてショートブログデータベース１４を検索し、当該急上昇ワードを含み、かつ、ＵＲＬを含むショートブログを検索する。
Ｓ３：続いて、急上昇ワード関連付け手段１３は、同一のＷｅｂページ（ＵＲＬ）を引用する複数のショートブログのそれぞれに含まれる急上昇ワード同士を関連付ける。すなわち、急上昇ワード関連付け手段１３は、Ｓ２の検索結果として取得したＵＲＬ（共起ＵＲＬ）が共通する急上昇ワード同士を関連付ける。その後、急上昇ワード関連付け手段１３は、関連付けた急上昇ワードを関連付けデータベース１５に記憶し、関連付け処理を終了する。
【００４４】
［サジェスト処理］
続いて、図８を参照して、ユーザ端末１００から受け付けた検索クエリに関連する急上昇ワードを提案するサジェスト処理について説明する。
【００４５】
Ｓ１１：検索要求受付手段２１は、ユーザ端末１００から検索クエリを受け付ける。
Ｓ１２：続いて、サジェスト手段２２は、Ｓ１１で受け付けた検索クエリが急上昇ワードであるか否かを判定する。このとき、Ｓ１１で受け付けた検索クエリが急上昇ワードでない場合には、処理を終了する。
Ｓ１３：他方、Ｓ１１で受け付けた検索クエリが急上昇ワードである場合には、サジェスト手段２２は、関連付けデータベース１５を参照して、当該急上昇ワードに関連付けられた他の急上昇ワードをユーザ端末１００に対して提案する。
【００４６】
［急上昇ワード関連付け装置１の効果］
以上のような急上昇ワード関連付け装置１によれば、ショートブログが引用するＷｅｂページ（ＵＲＬ）に基づいて急上昇ワード同士を関連付けるため、同一の出来事に対して用いられる急上昇ワードを適切に関連付けることができる。
そして、ユーザ端末１００から急上昇ワードを指定する検索要求を受け付けた場合に、この関連性に基づいて他の急上昇ワードを提案するため、同じ出来事（Ｗｅｂページ）に対して検索要求の急上昇ワードとは異なる急上昇ワードを用いていたショートブログであってもユーザに検索させることができる。その結果、検索を行うユーザは、多くのユーザに注目されている出来事に対して投稿された様々なショートブログを漏れなく取得することができる。
【００４７】
［変形実施形態］
以上、第１実施形態の急上昇ワード関連付け装置１について説明した。第１実施形態の急上昇ワード関連付け装置１では、同一のＵＲＬであるか否かにより急上昇ワード同士を関連付けていたが、急上昇ワード同士を関連付ける範囲については、同一のＵＲＬに限らず、以下の第２実施形態及び第３実施形態のような範囲とすることができる。すなわち、以下に示す第２実施形態及び第３実施形態では、急上昇ワード同士を関連付ける範囲が第１実施形態とは異なる。
なお、以下において、第１実施形態と同様の構成については、同一の符号を付し、説明を省略又は簡略化する。
【００４８】
［第２実施形態］
図９及び図１０を参照して、第２実施形態の急上昇ワード関連付け装置１Ａについて説明する。第２実施形態の急上昇ワード関連付け装置１Ａでは、類似するＷｅｂページ（ＵＲＬ）にまで急上昇ワード同士を関連付ける範囲を拡大している。
ここで、ネットワーク上には無数のＷｅｂページが存在するため、同一の出来事を記載する複数のＷｅｂページが存在する場合がある。すなわち、ある出来事に対する新聞社Ａの記事からなるＷｅｂページの他に、同一の出来事に対する新聞社Ｂの記事からなるＷｅｂページが存在する場合がある。このようなＷｅｂページは、それぞれＵＲＬが異なるものであるが同一の出来事に対するものであるため、第２実施形態の急上昇ワード関連付け装置１Ａでは、Ｗｅｂページの類似度も考慮した上で急上昇ワードを関連付ける。
【００４９】
［急上昇ワード関連付け装置１Ａの構成］
初めに、図９を参照して、第２実施形態の急上昇ワード関連付け装置１Ａの構成について説明する。第２実施形態の急上昇ワード関連付け装置１Ａは、急上昇ワードを関連付ける範囲を類似するＷｅｂページ（ＵＲＬ）にまで拡大するため、第１実施形態の急上昇ワード関連付け装置１の構成に加えて更にページ類似度判定手段１６Ａを備える。
【００５０】
ページ類似度判定手段１６Ａは、ショートブログ検索手段１２が検索したショートブログに含まれるＵＲＬのそれぞれにより特定されるＷｅｂページ同士の類似度を判定する。Ｗｅｂページ同士の類似度の判定は、任意の方法で行うことができ、例えば、Ｗｅｂページ間の類似性についてのデータを予め用意しておき、当該データを参照することで類似度を判定することとしてもよく、また、当業者において周知のようにＷｅｂページ内で用いられている単語の種類や頻度に基づいて類似度を判定することとしてもよい。
【００５１】
ページ類似度判定手段１６ＡがＷｅｂページ同士の類似度を判定すると、急上昇ワード関連付け手段１３は、判定した類似度が所定の類似度以上のＷｅｂページに対応するＵＲＬをそれぞれ含むショートブログに含まれる急上昇ワード同士を関連付ける。すなわち、急上昇ワード関連付け手段１３は、所定の類似度以上の関係にある２以上のＷｅｂページに対応する２以上のＵＲＬをそれぞれ含むショートブログに含まれる急上昇ワード同士を関連付ける。このとき、関連付け手段１３は、急上昇ワード同士を関連付けると、関連付けた急上昇ワードを関連付けデータベース１５に記憶する。なお、所定の類似度については、任意に設定することができる。
【００５２】
［急上昇ワード関連付け装置１Ａの動作］
続いて、図１０を参照して、急上昇ワード関連付け装置１Ａの動作について説明する。なお、図１０では、第１実施形態の急上昇ワード関連付け装置１の動作と異なる部分のみを示している。すなわち、急上昇ワード関連付け装置１Ａの動作において、急上昇ワード抽出手段１１がショートブログデータベース１４に記憶されたショートブログから急上昇ワードを抽出する動作（図５（１））、ショートブログ検索手段１２が抽出した急上昇ワードに基づいてショートブログデータベース１４を検索し、当該急上昇ワードを含み、かつ、ＵＲＬを含むショートブログを検索する動作（図５（２））については、第１実施形態の急上昇ワード関連付け装置１の動作と同じであるため、図示を省略している。
【００５３】
図１０（１）を参照して、ページ類似度判定手段１６Ａは、ショートブログ検索手段１２の検索結果として取得された共起ＵＲＬにより特定されるＷｅｂページの類似度を判定する。ここで、「ＵＲＬ１」はスポーツ新聞の記事を示すＷｅｂページであり、「ＵＲＬ２」は週刊誌の記事を示すＷｅｂページであるが、それぞれのＷｅｂページでは「○○花子と××投手との密会デート」といった共通の出来事を扱っている。そのため、図１０（１）では、ページ類似度判定手段１６Ａは、「ＵＲＬ１」により特定されるＷｅｂページと、「ＵＲＬ２」により特定されるＷｅｂページとは類似する（所定の類似度以上の関係にある）と判定している。
【００５４】
続いて、図１０（２）を参照して、急上昇ワード関連付け手段１３は、ページ類似度判定手段１６Ａの判定結果に基づいて、所定の類似度以上の関係にある「ＵＲＬ１」と「ＵＲＬ２」とをそれぞれ含むショートブログに含まれる急上昇ワード同士を関連付け、関連付けデータベース１５に記憶する。その結果、同一のＵＲＬで関連付けた場合には関連することのなかった急上昇ワード「ＡＢＣグループ」と「レストランＬＭＮ」とが関連付けられている。
【００５５】
このように、第２実施形態の急上昇ワード関連付け装置１Ａによれば、同一のＵＲＬだけでなく、Ｗｅｂページの内容が類似するＵＲＬも用いて急上昇ワード同士を関連付けるため、関連付けの範囲（カバレッジ）を適切に管理することができ、急上昇ワードの関連付けを適切に行うことができる。
【００５６】
［第３実施形態］
続いて、図１１を参照して、第３実施形態の急上昇ワード関連付け装置１Ｂについて説明する。第３実施形態の急上昇ワード関連付け装置１Ｂでは、ショートブログ検索手段１２によるショートブログの検索に用いる急上昇ワードとショートブログのテキスト情報との一致率（検索スコア）に基づいて急上昇ワード同士を関連付ける範囲を決定する。すなわち、第２実施形態の急上昇ワード関連付け装置１Ａでは、ＵＲＬにより特定されるＷｅｂページの内容を考慮した上で関連付ける範囲を決定していたのに対し、第３実施形態の急上昇ワード関連付け装置１Ｂでは、Ｗｅｂページの内容は考慮せずショートブログのテキスト情報の内容を考慮した上で関連付ける範囲を決定する。
なお、第３実施形態の急上昇ワード関連付け装置１Ｂの構成は、第１実施形態の急上昇ワード関連付け装置１と同様であるため、図示を省略する。
【００５７】
［急上昇ワード関連付け装置１Ｂの動作］
図１１を参照して、急上昇ワード関連付け装置１Ｂの動作について説明する。なお、図１１では、第１実施形態の急上昇ワード関連付け装置１の動作と異なる部分のみを示している。すなわち、急上昇ワード関連付け装置１Ｂの動作において、急上昇ワード抽出手段１１がショートブログデータベース１４に記憶されたショートブログから急上昇ワードを抽出する動作（図５（１））については、第１実施形態の急上昇ワード関連付け装置１の動作と同じであるため、図示を省略している。
【００５８】
図１１（１）を参照して、ショートブログ検索手段１２は、急上昇ワード抽出手段１１が抽出した急上昇ワードに基づいてショートブログデータベース１４を検索し、当該急上昇ワードを含み、かつ、ＵＲＬを含むショートブログを検索する。このとき、ショートブログ検索手段１２は、検索に用いた急上昇ワードとショートブログのテキスト情報との一致率に基づく検索スコアを算出する。
【００５９】
続いて、図１１（２）を参照して、急上昇ワード関連付け手段１３は、所定の検索スコア以上のショートブログに含まれるＵＲＬをそれぞれ含むショートブログに含まれる急上昇ワード同士を関連付ける。すなわち、急上昇ワード関連付け手段１３は、検索に用いた急上昇ワードとの一致率（検索スコア）が所定値以上である２以上のショートブログに含まれる２以上のＵＲＬに基づいて、急上昇ワード同士を関連付け、関連付けデータベース１５に記憶する。なお、所定の検索スコアについては、任意に設定することができる。
図１１（１）では、急上昇ワード「××投手」による検索において、ショートブログＩＤ「２０１」は検索スコア「８０」であり、ショートブログＩＤ「２０６」は検索スコア「７５」である。このとき、所定の検索スコアとして「７５」以上と設定していた場合には、急上昇ワード関連付け手段１３は、ショートブログＩＤ「２０１」に含まれる「ＵＲＬ１」と、ショートブログＩＤ「２０６」に含まれる「ＵＲＬ３」とに基づいて、急上昇ワード同士を関連付ける。その結果、同一のＵＲＬで関連付けた場合には関連することのなかった急上昇ワード「○○花子」「ＡＢＣグループ」と「ＸＹＺチーム」とが関連付けられている。
【００６０】
このように、第３実施形態の急上昇ワード関連付け装置１Ｂによれば、同一のＵＲＬだけでなく、検索に用いた急上昇ワードによる検索スコアが所定値以上であるショートブログに含まれるＵＲＬも用いて急上昇ワード同士を関連付けるため、関連付けの範囲（カバレッジ）を適切に管理することができ、急上昇ワードの関連付けを適切に行うことができる。
【００６１】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６２】
１，１Ａ，１Ｂ  急上昇ワード関連付け装置
１０  関連付け部
１１  急上昇ワード抽出手段
１２  ショートブログ検索手段
１３  急上昇ワード関連付け手段
１４  ショートブログデータベース
１５  関連付けデータベース
１６Ａ  ページ類似度判定手段
２０  サジェスト部
２１  検索要求受付手段
２２  サジェスト手段
１００  ユーザ端末
【図１】
0005269938.tif 000002
【図２】
0005269938.tif 000003
【図３】
0005269938.tif 000004
【図４】
0005269938.tif 000005
【図５】
0005269938.tif 000006
【図６】
0005269938.tif 000007
【図７】
0005269938.tif 000008
【図８】
0005269938.tif 000009
【図９】
0005269938.tif 000010
【図１０】
0005269938.tif 000011
【図１１】
0005269938.tif 000012